(57)【要約】【課題】プリセットハンガを多数装着されたメッセンジャワイヤの架設とケーブル牽引ロープの通線とを同一工程で行って作業効率を高めることにある。【解決手段】メッセンジャワイヤ１に沿って互いに間隔をあけて複数装着されるプリセットハンガ２を用いて新規ケーブルを架設するに際し、メッセンジャワイヤの繰出し側の柱３に、メッセンジャワイヤ１を牽引方向へ案内するとともにプリセットハンガ２のハンガ部材を押して後方へ揺動させるローラと、ハンガ部材が後方へ揺動することで上下方向に開いたハンガ部材の隙間内に入り込むようにケーブル牽引ロープ１１を案内する牽引ロープガイドとを具えてなる牽引ロープ挿入装置４を取り付け、プリセットハンガ２を複数装着されたメッセンジャワイヤ１を牽引ロープ挿入装置４を用いてハンガ部材内にケーブル牽引ロープ１１を入れながら架設し、次いでケーブル牽引ロープ１１を引くことで、そのケーブル牽引ロープ１１に繋がれたケーブルを複数のプリセットハンガ２内に順次に通して新規ケーブルを架設するものである。【選択図】        図１
2004215373.tif 000002
【特許請求の範囲】
【請求項１】
一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されるプリセットハンガを用いて新規ケーブルを架設するに際し、
前記メッセンジャワイヤの繰出し側の柱に、前記メッセンジャワイヤを牽引方向へ案内するとともに前記プリセットハンガの前記ハンガ部材を押して牽引方向に対し後方へ揺動させるローラと、そのハンガ部材が牽引方向に対し後方へ揺動することで上下方向に開いたそのハンガ部材の前記隙間内に入り込むようにケーブル牽引ロープを案内する牽引ロープガイドと、を具えてなる牽引ロープ挿入装置を取り付け、
前記プリセットハンガを複数装着された前記メッセンジャワイヤを、前記牽引ロープ挿入装置を用いて前記ハンガ部材内に前記ケーブル牽引ロープを入れながら架設し、
次いで前記ケーブル牽引ロープを引くことで、そのケーブル牽引ロープに繋がれたケーブルを前記複数のプリセットハンガの前記ハンガ部材内に順次に通して新規ケーブルを架設することを特徴とする、ケーブル架設工法。
【請求項２】
前記プリセットハンガを複数装着された前記メッセンジャワイヤを架設するに際し、
複数のローラと、それらのローラを、同一平面上に回転軸線が延在するとともにその平面内でのそれらのローラが囲む空間の断面形状が略円形をなすように組み合わせて支持する支持枠と、を具えてなるワイヤ弛み防止装置を架設区間の中間の柱に取り付け、
前記プリセットハンガを複数装着された前記メッセンジャワイヤを、前記ワイヤ弛み防止装置の前記複数のローラが囲む空間内に通して案内することを特徴とする、請求項１記載のケーブル架設工法。
【請求項３】
分岐ケーブルを有する既設ケーブルに沿って、前記プリセットハンガを複数装着された前記メッセンジャワイヤを架設するに際し、
前記分岐ケーブルに被せられる逆Ｕ字状断面形状のカバーと、そのカバーの長手方向両端部に上向きに突設されて前記メッセンジャワイヤの前記カバー上からの外れを防止する二本のメッセンジャガイドと、前記カバーの長手方向一端部からその長手方向へ突設されて前記既設ケーブルに掛合されるケーブルフックと、を具えてなるケーブル保護装置を用い、
前記分岐ケーブルに被せられた前記カバー上の前記二本のメッセンジャガイド間の位置に前記メッセンジャワイヤを通して、前記プリセットハンガを複数装着された前記メッセンジャワイヤを架設することを特徴とする、請求項１または２記載のケーブル架設工法。
【請求項４】
一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されるプリセットハンガであって、前記ハンガ部材内を通って既設ケーブルが延在する既設のプリセットハンガを用いて新規ケーブルを架設するに際し、
少なくとも二つの前記プリセットハンガの前記ハンガ部材に渡って延在する長さのフレームと、そのフレームの前端部および後端部を含む少なくとも三カ所に前記プリセットハンガの前記ハンガ部材と異なる間隔でそれぞれ揺動可能に支持されて前記既設ケーブルを跨ぐ二股バランサと、前記フレームに設けられた通線ロッド装着部と、を具えてなる通線装置のその通線ロッド装着部に通線ロッドの先端部を装着し、
前記通線ロッドを押して前記通線装置を、前記複数のプリセットハンガの前記ハンガ部材内に延在する既設ケーブルに前記二股バランサを跨がらせた状態でその既設ケーブル上を通線方向に移動させて前記複数のプリセットハンガの前記ハンガ部材内に順次に通して行き、
次いで前記通線装置および前記通線ロッドを前記複数のプリセットハンガの前記ハンガ部材内から通線方向へ引き抜いて、その通線ロッドの後端部に取り付けられたケーブル牽引ロープを前記複数のプリセットハンガの前記ハンガ部材内に通し、
次いで前記ケーブル牽引ロープを引くことで、そのケーブル牽引ロープに繋がれたケーブルを前記複数のプリセットハンガの前記ハンガ部材内に順次に通して新規ケーブルを架設することを特徴とする、ケーブル架設工法。
【請求項５】
前記メッセンジャワイヤを牽引方向へ案内するとともに前記ハンガ部材を押して牽引方向に対し後方へ揺動させるローラと、
前記ハンガ部材が牽引方向に対し後方へ揺動して上下方向に開いた前記ハンガ部材の上部の前記隙間内に入り込むように前記ケーブル牽引ロープを案内する牽引ロープガイドと、
を具えてなる、請求項１から３までの何れか記載のケーブル架設工法に用いられる牽引ロープ挿入装置。
【請求項６】
複数のローラと、
それらのローラを、同一平面上に回転軸線が延在するとともにその平面内でのそれらのローラが囲む空間の断面形状が略円形をなすように組み合わせて支持する支持枠と、
を具えてなる、請求項１から３までの何れか記載のケーブル架設工法に用いられるワイヤ弛み防止装置。
【請求項７】
前記プリセットハンガを複数装着された前記メッセンジャワイヤの架設経路に沿って延在する既設ケーブルが有する分岐ケーブルに被せられる逆Ｕ字状断面形状のカバーと、
そのカバーの長手方向両端部に上向きに突設されて前記メッセンジャワイヤの前記カバー上からの外れを防止する二本のメッセンジャガイドと、
前記カバーの長手方向一端部からその長手方向へ突設されて前記既設ケーブルに掛合されるケーブルフックと、
を具えてなる、請求項１から３までの何れか記載のケーブル架設工法に用いられるケーブル保護装置。
【請求項８】
少なくとも二つの前記プリセットハンガの前記ハンガ部材に渡って延在する長さのフレームと、
そのフレームの前端部および後端部を含む少なくとも三カ所に前記プリセットハンガの前記ハンガ部材と異なる間隔でそれぞれ揺動可能に支持されて前記既設ケーブルを跨ぐ二股バランサと、
前記フレームに設けられた通線ロッド装着部と、
を具えてなる、請求項４記載のケーブル架設工法に用いられる通線装置。
【発明の詳細な説明】
【０００１】
【発明の属する技術分野】
この発明は、一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されて架空ケーブルの多条架設を可能にするプリセットハンガを用いて新設ケーブルを架設する工法および、その工法に用いられる装置に関するものである。
【０００２】
【従来の技術】
従来の通常のケーブルハンガは、メッセンジャワイヤに沿って延在するコイル状のハンガ部材をそのメッセンジャワイヤで支持する構成とされていたが（例えば、特許文献１参照）、ハンガ部材の全体重量が重いという問題および、既設ケーブルの取込みやハンガ部材の部分的な着脱ができないという問題があった。
【０００３】
そこで、この問題を解決するため、上述した、一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されるプリセットハンガが提案されている（例えば、特許文献２参照）。
【０００４】
このプリセットハンガによれば、複数のプリセットハンガが間隔を開けて設けられているので重量が軽く、しかもプリセットハンガのハンガ部材の上部の切れ目から既設ケーブルをハンガ部材内に取り込めるので、先のコイル状のハンガ部材を用いる場合の問題を解決することができる。
【０００５】
【特許文献１】
特開２００１−２５８１４０号、  図４、図５
【特許文献２】
特開２００１−１１２１５４号、図１
【０００６】
【発明が解決しようとする課題】
しかしながら、上記プリセットハンガを用いて新設ケーブルを架設するに際しては、プリセットハンガを複数装着されたメッセンジャワイヤを架設した後、牽引ロープで地上から引かれてそのメッセンジャワイヤ上をローラで走行する市販の通線器によって、その走行方向へハンガ部材を揺動させるとともにハンガ部材の上部の切れ目からケーブル牽引ロープをハンガ部材内に入れることで、ケーブルを複数のプリセットハンガのハンガ部材内に順次に通線していたので、プリセットハンガを複数装着されたメッセンジャワイヤの架設とケーブル牽引ロープの通線とが別工程となるため作業効率が悪いという不都合があった。
【０００７】
また、上記プリセットハンガを複数装着されたメッセンジャワイヤを架設する際、その架設区間の中間の柱にワイヤ弛み防止装置を取り付けてプリセットハンガを通すが、従来のワイヤ弛み防止装置は、フレームに設けた一個のメッセンジャワイヤを下から支持して案内する開放型や、三個のローラで囲んだ略三角形状の空間内にメッセンジャワイヤを通して案内する閉塞型のものであるため、プリセットハンガのハンガ部材がフレームやローラに引っ掛かり易いという不都合があった。
【０００８】
さらに既設のハンガを用いて架空ケーブルを増設する際、上記プリセットハンガでは、従来のコイル状のハンガ部材と異なり複数のハンガ部材が独立して設けられ、それらのハンガ部材が既設ケーブルを通線されて揺動し得なくなっているので、上述した市販の通線器を使用したのではケーブル牽引ロープや増設ケーブルを通線することができないという不都合があった。
【０００９】
【課題を解決するための手段およびその作用・効果】
この発明は、上記課題を有利に解決したケーブル架設工法およびその工法に用いられる装置を提供することを目的とするものであり、請求項１記載のこの発明のケーブル架設工法は、一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されるプリセットハンガを用いて新規ケーブルを架設するに際し、前記メッセンジャワイヤの繰出し側の柱に、前記メッセンジャワイヤを牽引方向へ案内するとともに前記プリセットハンガの前記ハンガ部材を押して牽引方向に対し後方へ揺動させるローラと、そのハンガ部材が牽引方向に対し後方へ揺動することで上下方向に開いたそのハンガ部材の前記隙間内に入り込むようにケーブル牽引ロープを案内する牽引ロープガイドと、を具えてなる牽引ロープ挿入装置を取り付け、前記プリセットハンガを複数装着された前記メッセンジャワイヤを、前記牽引ロープ挿入装置を用いて前記ハンガ部材内に前記ケーブル牽引ロープを入れながら架設し、次いで前記ケーブル牽引ロープを引くことで、そのケーブル牽引ロープに繋がれたケーブルを前記複数のプリセットハンガの前記ハンガ部材内に順次に通して新規ケーブルを架設することを特徴とするものである。
【００１０】
かかるケーブル架設工法によれば、メッセンジャワイヤの繰出し側の柱に牽引ロープ挿入装置を設け、その牽引ロープ挿入装置を用いて、複数のプリセットハンガのハンガ部材内にケーブル牽引ロープを入れながら、それらのプリセットハンガを装着されたメッセンジャワイヤを架設し、次いでケーブル牽引ロープを引くことで、そのケーブル牽引ロープに繋いだケーブルを複数のプリセットハンガのハンガ部材内に順次に通して新規ケーブルを架設するので、プリセットハンガを複数装着されたメッセンジャワイヤの架設とケーブル牽引ロープの通線とを同一工程で行い得て、作業効率を高めることができる。
【００１１】
なお、この発明のケーブル架設工法においては請求項２に記載のように、前記プリセットハンガを複数装着された前記メッセンジャワイヤを架設するに際し、複数のローラと、それらのローラを、同一平面上に回転軸線が延在するとともにその平面内でのそれらのローラが囲む空間の断面形状が略円形をなすように組み合わせて支持する支持枠と、を具えてなるワイヤ弛み防止装置を架設区間の中間の柱に取り付け、前記プリセットハンガを複数装着された前記メッセンジャワイヤを、前記ワイヤ弛み防止装置の前記複数のローラが囲む空間内に通して案内することとしても良い。このようにすれば、複数のローラが同一平面上で囲んでいる空間の断面形状が略円形をなしているので、プリセットハンガを複数装着されたメッセンジャワイヤをその空間内に通す際に、プリセットハンガのハンガ部材がローラや支持枠に引っ掛かるのを防止し得て、プリセットハンガを複数装着されたメッセンジャワイヤの架設作業を円滑にすることができる。
【００１２】
さらに、この発明のケーブル架設工法においては請求項３に記載のように、分岐ケーブルを有する既設ケーブルに沿って、前記プリセットハンガを複数装着された前記メッセンジャワイヤを架設するに際し、前記分岐ケーブルに被せられる逆Ｕ字状断面形状のカバーと、そのカバーの長手方向両端部に上向きに突設されて前記メッセンジャワイヤの前記カバー上からの外れを防止する二本のメッセンジャガイドと、前記カバーの長手方向一端部からその長手方向へ突設されて前記既設ケーブルに掛合されるケーブルフックと、を具えてなるケーブル保護装置を用い、前記分岐ケーブルに被せられた前記カバー上の前記二本のメッセンジャガイド間の位置に前記メッセンジャワイヤを通して、前記プリセットハンガを複数装着された前記メッセンジャワイヤを架設することとしても良い。このようにすれば、プリセットハンガを複数装着されたメッセンジャワイヤが既設ケーブルから離れてケーブル保護装置のカバー上の二本のメッセンジャガイド間を通って通線されるので、既設ケーブルや分岐ケーブルにメッセンジャワイヤやプリセットハンガが摺接してそれらのケーブルが損傷したり、分岐ケーブルにプリセットハンガのハンガ部材が引っ掛かってプリセットハンガがメッセンジャワイヤから外れたりするのを防止することができる。
【００１３】
また請求項４記載のこの発明のケーブル架設工法は、一部に切れ目を持つとともにその切れ目を形成する両端部を互いに隙間を開けて長手方向に重ならせた略リング状のハンガ部材と、メッセンジャワイヤの上側でそのメッセンジャワイヤと交差する向きに前記両端部を延在させて前記ハンガ部材の一端部を揺動可能に支持するとともに前記メッセンジャワイヤに固定されて前記ハンガ部材を前記メッセンジャワイヤに吊り下げる固定部材とを具えてなり、前記メッセンジャワイヤに沿って互いに間隔をあけて複数装着されるプリセットハンガであって、前記ハンガ部材内を通って既設ケーブルが延在する既設のプリセットハンガを用いて新規ケーブルを架設するに際し、少なくとも二つの前記プリセットハンガの前記ハンガ部材に渡って延在する長さのフレームと、そのフレームの前端部および後端部を含む少なくとも三カ所に前記プリセットハンガの前記ハンガ部材と異なる間隔でそれぞれ揺動可能に支持されて前記既設ケーブルを跨ぐ二股バランサと、前記フレームに設けられた通線ロッド装着部と、を具えてなる通線装置のその通線ロッド装着部に通線ロッドの先端部を装着し、前記通線ロッドを押して前記通線装置を、前記複数のプリセットハンガの前記ハンガ部材内に延在する既設ケーブルに前記二股バランサを跨がらせた状態でその既設ケーブル上を通線方向に移動させて前記複数のプリセットハンガの前記ハンガ部材内に順次に通して行き、次いで前記通線装置および前記通線ロッドを前記複数のプリセットハンガの前記ハンガ部材内から通線方向へ引き抜いて、その通線ロッドの後端部に取り付けられたケーブル牽引ロープを前記複数のプリセットハンガの前記ハンガ部材内に通し、次いで前記ケーブル牽引ロープを引くことで、そのケーブル牽引ロープに繋がれたケーブルを前記複数のプリセットハンガの前記ハンガ部材内に順次に通して新規ケーブルを架設することを特徴とするものである。
【００１４】
かかるケーブル架設工法によれば、通線装置の通線ロッド装着部に通線ロッドの先端部を装着し、その通線ロッドを押して通線装置を、既設の複数のプリセットハンガのハンガ部材内を通って延在する既設ケーブルに二股バランサを跨がらせた状態で、その既設ケーブル上を通線方向に移動させて、複数のプリセットハンガのハンガ部材内に順次に通して行くので、既設の複数のプリセットハンガのハンガ部材同士が独立しているとともにそれらのハンガ部材内に既設ケーブルが延在していてそれらのハンガ部材が揺動できなくてもケーブル牽引ロープをプリセットハンガに通線し得て、新規ケーブルを容易に増設することができる。
【００１５】
この一方、請求項５記載のこの発明の牽引ロープ挿入装置は、前記メッセンジャワイヤを牽引方向へ案内するとともに前記ハンガ部材を押して牽引方向に対し後方へ揺動させるローラと、前記ハンガ部材が牽引方向に対し後方へ揺動して上下方向に開いた前記ハンガ部材の上部の前記隙間内に入り込むように前記ケーブル牽引ロープを案内する牽引ロープガイドと、を具えてなるものである。
【００１６】
かかる牽引ロープ挿入装置によれば、ローラが、プリセットハンガを複数装着されたメッセンジャワイヤを牽引方向へ案内するとともにそのプリセットハンガのハンガ部材を押して牽引方向に対し後方へ揺動させ、牽引ロープガイドが、プリセットハンガのハンガ部材が牽引方向に対し後方へ揺動して上下方向に開いたそのハンガ部材の上部の隙間内に入り込むようにケーブル牽引ロープを案内するので、プリセットハンガを複数装着されたメッセンジャワイヤの架設とケーブル牽引ロープの通線とを同一工程で行い得て、作業効率を高めることができる。
【００１７】
また、請求項６記載のこの発明のワイヤ弛み防止装置は、複数のローラと、それらのローラを、同一平面上に回転軸線が延在するとともにその平面内でのそれらのローラが囲む空間の断面形状が略円形をなすように組み合わせて支持する支持枠と、を具えてなるものである。
【００１８】
かかるワイヤ弛み防止装置によれば、支持枠が、複数のローラを、同一平面上に回転軸線が延在するとともにその平面内でのそれらのローラが囲む空間の断面形状が略円形をなすように組み合わせて支持しているので、プリセットハンガを複数装着されたメッセンジャワイヤをそのローラが囲む空間内に通す際に、プリセットハンガのハンガ部材がローラや支持枠に引っ掛かるのを防止し得て、プリセットハンガを複数装着されたメッセンジャワイヤの架設作業を円滑にすることができる。
【００１９】
さらに、請求項７記載のこの発明のケーブル保護装置は、前記プリセットハンガを複数装着された前記メッセンジャワイヤの架設経路に沿って延在する既設ケーブルが有する分岐ケーブルに被せられる逆Ｕ字状断面形状のカバーと、そのカバーの長手方向両端部に上向きに突設されて前記メッセンジャワイヤの前記カバー上からの外れを防止する二本のメッセンジャガイドと、前記カバーの長手方向一端部からその長手方向へ突設されて前記既設ケーブルに掛合されるケーブルフックと、を具えてなるものである。
【００２０】
かかるケーブル保護装置によれば、プリセットハンガを複数装着されたメッセンジャワイヤが、ケーブルフックで既設ケーブルに掛合して位置決めされて分岐ケーブルに被せられた逆Ｕ字状断面形状のカバー上に乗って既設ケーブルから離れ、そのカバー上の二本のメッセンジャガイド間を通って通線されるので、既設ケーブルや分岐ケーブルにメッセンジャワイヤやプリセットハンガが摺接してそれらのケーブルが損傷したり、分岐ケーブルにプリセットハンガのハンガ部材が引っ掛かってプリセットハンガがメッセンジャワイヤから外れたりするのを防止することができる。
【００２１】
そして請求項８記載のこの発明の通線装置は、少なくとも二つの前記プリセットハンガの前記ハンガ部材に渡って延在する長さのフレームと、そのフレームの前端部および後端部を含む少なくとも三カ所に前記プリセットハンガの前記ハンガ部材と異なる間隔でそれぞれ揺動可能に支持されて前記既設ケーブルを跨ぐ二股バランサと、前記フレームに設けられた通線ロッド装着部と、を具えてなるものである。
【００２２】
かかる通線装置によれば、通線ロッド装着部に通線ロッドの先端部を装着し、その通線ロッドを押すことで、通線装置が、既設の複数のプリセットハンガのハンガ部材内を通って延在する既設ケーブルに二股バランサを跨がらせた状態で、その既設ケーブル上を通線方向に移動して、複数のプリセットハンガのハンガ部材内に順次に通って行くので、既設の複数のプリセットハンガのハンガ部材同士が独立しているとともにそれらのハンガ部材内を通って既設ケーブルが延在していてそれらのハンガ部材が揺動できなくてもケーブル牽引ロープをプリセットハンガに通線し得て、新規ケーブルを容易に増設することができる。
【００２３】
【発明の実施の形態】
以下に、この発明の実施の形態を実施例によって、図面に基づき詳細に説明する。ここに、図１は、この発明のケーブル架設工法の一実施例を示す説明図、図２（ａ）〜（ｄ）は、その実施例の工法に用いられるプリセットハンガの一部を示す正面図、断面図、平面図および作動説明図、図３は、上記実施例の工法に用いられるこの発明のワイヤ弛み防止装置の一実施例の使用状態を示す説明図、図４は、上記実施例の工法に用いられる金車および戻り防止装置の使用状態を示す説明図、図５（ａ）〜（ｄ）は、上記実施例の工法に用いられるこの発明の牽引ロープ挿入装置の一実施例を示す平面図、Ａ−Ａ断面図、側面図および部分図、図６（ａ）〜（ｃ）は、その実施例の牽引ロープ挿入装置の作動を示す説明図、図７（ａ），（ｂ）は、上記実施例のワイヤ弛み防止装置を示す正面図および側面図であり、図中符号１は例えば鋼撚り線からなるメッセンジャワイヤ、２はそのメッセンジャワイヤ１に所定間隔（例えば６０ｃｍ間隔）で複数（ここでは多数）装着されたプリセットハンガをそれぞれ示す。
【００２４】
上記プリセットハンガ２は、図２（ａ）〜（ｄ）に示すように、一部に切れ目を持つとともにその切れ目を形成する両端部２ａ，２ｂを互いに隙間２ｃを開けてその端部の長手方向に重ならせた例えば鋼線製の略リング状（茄子型）のハンガ部材２ｄと、メッセンジャワイヤ１の上側でそのメッセンジャワイヤ１と交差する向きにハンガ部材２ｄの両端部２ａ，２ｂを延在させてそのハンガ部材２ｄの一端部を揺動可能に支持するとともにメッセンジャワイヤ１に固定されてハンガ部材２ｄをメッセンジャワイヤ１に吊り下げる固定部材２ｅと、その固定金具２ｅのずれ止めのために、固定金具２ｅを間に挟む位置にてメッセンジャワイヤ１に固定されるずれ止め金具２ｆとを具えてなり、図１に示すように、メッセンジャワイヤ１に沿って互いに間隔をあけて複数装着されるものであり、かかるプリセットハンガ２は、三菱電線工業株式会社によって市販されている。
【００２５】
このプリセットハンガ２におけるハンガ部材２ｄは、メッセンジャワイヤ１に両端部２ａ，２ｂを支持されて、図２（ｂ）に矢印で示すようにメッセンジャワイヤ１の軸線周りに３６０°回転することができるとともに、一端部２ａを軸として、図２（ｄ）に矢印で示すように他端部２ｂがメッセンジャワイヤ１から持ち上がる方向へ揺動することができる。そしてこの揺動により、ハンガ部材２ｄの上部の隙間２ｃは、図２（ｄ）に示すように上下方向に開くことになる。
【００２６】
このプリセットハンガ２を用いて新設ケーブルを架設する際、上記実施例のケーブル架設工法では、図１に示すように、新設ケーブルの架設区間に、先ずプリセットハンガ２を多数装着されたメッセンジャワイヤ１を架設すべく、メッセンジャワイヤ１の繰出し側の電柱３に、この発明の牽引ロープ挿入装置の一実施例としての牽引ロープ挿入装置４を取り付けるとともに、図３に示すように、架設区間の中間の電柱５に、この発明のワイヤ弛み防止装置の一実施例としてのワイヤ弛み防止装置６を取り付け、さらに図４に示すように、メッセンジャワイヤ１の牽引側（図１では右方）の電柱７（図１では図示せず）に、通常の金車８と、カム式の戻り防止装置９とを取り付ける。
【００２７】
ここにおける牽引ロープ挿入装置４は、図５に示すように、互いに向き合わせて並置した二枚の板状部材の中央部同士を間隔を空けて二本のボルトで連結したフレーム４ａと、そのフレーム４ａの中央部にボルトで連結されてそのフレーム４ａを跨ぐ吊下げ金具４ｂと、各々フレーム４ａに枢支されてメッセンジャワイヤ１を牽引方向（図５（ａ），（ｂ）では左方）へ案内するとともにハンガ部材２ｄを押して牽引方向に対し後方へ揺動させる各々略鼓状をなす四つのローラ４ｃと、各々フレーム４ａに支持された牽引ロープガイドとしてのアイ金具４ｄおよびロープ差込み部４ｅと、を具えてなる。
【００２８】
ここで、上記ロープ差込み部４ｅは、図５（ｄ）に蓋を開いて示すように、開閉可能な蓋４ｆと組み合わされた断面へ字状の上板４ｇと、それらの下に並置した断面逆へ字状の底板４ｈとが三本のピン４ｉを介して結合されて構成されて、板ばね４ｊでローラ４ｃへ向けて付勢され、図５（ａ）では上側および前側（左側）の二本のピン４ｉと蓋４ｆと上板４ｇと底板４ｈとで略Ｓ字状のロープ経路を形成して、メッセンジャワイヤ１を牽引するためのワイヤ牽引ロープ１０（図１参照）の後端部にメッセンジャワイヤ１とともに先端部を連結されたケーブル牽引ロープ１１をその略Ｓ字状のロープ経路で拘束しつつ案内するとともに、上板４ｇと底板４ｈとで図５（ｂ）に示すように略楔状の後端部（図では右端部）４ｋを形成して、図６（ａ），（ｂ），（ｃ）に順次に示すように、その略楔状の後端部４ｋを、ローラ４ｃによって押されてハンガ部材２ｄが牽引方向に対し後方へ揺動することで上下方向に開いたハンガ部材２ｄの隙間２ｃ内に割り込ませた状態で、その隙間２ｃ内に上記略Ｓ字状のロープ経路を通してケーブル牽引ロープ１１を入り込ませる。なお、フレーム４ａの中央部のボルトには、ハンガ部材２ｄの引っ掛かりを防止するパッド４ｌが設けられている。
【００２９】
またここにおけるワイヤ弛み防止装置６は、図７に示すように、各々略鼓状をなす四つのローラ６ａと、四つのアングル材６ｂが板材６ｃを介して相互に結合されてなる支持枠６ｄと、その支持枠６ｄにボルトで連結された吊下げ金具６ｅとを具えており、ここで、支持枠６ｄは、四つのローラ６ａをそれぞれ回転自在に支持する四本の支持ボルト６ｆを支持することで、四つのローラ６ａを、同一平面（図７（ａ）では紙面と平行な面）上に支持ボルト６ｆの軸線である回転軸線が延在するとともにその平面内でのそれらのローラ６ａが囲む空間の断面形状が略円形をなすように、かつ隣り合うローラ６ａ間に隙間が殆ど空かないように組み合わせて支持している。なお、ローラ６ａが囲む上記略円形の空間の直径はプリセットハンガ２のハンガ部材２ｄの幅の約２倍となっている。
【００３０】
これら牽引ロープ挿入装置４とワイヤ弛み防止装置６と金車８と戻り防止装置９とをそれぞれ取り付けてから、この実施例の工法では、上記ワイヤ牽引ロープ１０を上記牽引ロープ挿入装置４とワイヤ弛み防止装置６と金車８と戻り防止装置９とに通して牽引側（図１では右方）から例えば人手で牽引することで、上記プリセットハンガ２を多数装着されたメッセンジャワイヤ１を、図１に示すように牽引ロープ挿入装置４を用いてハンガ部材２ｄ内にケーブル牽引ロープ１１を入れながら、ワイヤ弛み防止装置６を通して中間で弛まないようにしつつ繰出し側の電柱３から牽引側の電柱７まで掛け渡して、新規ケーブルの架設区間に架設する。
【００３１】
そしてその後、ケーブル牽引ロープ１１をワイヤ牽引ロープ１０から外し、金車８と戻り防止装置９とに通して牽引側（図１では右方）から例えば人手で牽引することで、そのケーブル牽引ロープ１１の後端部に繋がれたケーブルを、上記架設したメッセンジャワイヤ１に装着された多数のプリセットハンガ２のハンガ部材２ｄ内に順次に通しながら、繰出し側の電柱３から牽引側の電柱７まで掛け渡して、新規ケーブルの架設区間にその新規ケーブルを架設する。
【００３２】
かかる実施例のケーブル架設工法によれば、メッセンジャワイヤ１の繰出し側の電柱３に牽引ロープ挿入装置４を設け、その牽引ロープ挿入装置４を用いて、多数のプリセットハンガ２のハンガ部材２ｄ内にケーブル牽引ロープ１１を入れながら、それらのプリセットハンガ２を装着されたメッセンジャワイヤ１を架設し、次いでケーブル牽引ロープ１１を引くことで、そのケーブル牽引ロープ１１に繋いだケーブルを多数のプリセットハンガ２のハンガ部材２ｄ内に順次に通して新規ケーブルを架設するので、プリセットハンガ２を多数装着されたメッセンジャワイヤ１の架設とケーブル牽引ロープ１１の通線とを同一工程で行い得て、作業効率を高めることができる。
【００３３】
しかもこの実施例のケーブル架設工法によれば、プリセットハンガ２を多数装着されたメッセンジャワイヤ１を架設するに際し、ワイヤ弛み防止装置６を架設区間の中間の電柱５に取り付け、プリセットハンガ２を多数装着されたメッセンジャワイヤ１を、そのワイヤ弛み防止装置６の四つローラ６ａが囲む空間内に通して案内するので、それら四つのローラ６ａが同一平面上で囲んでいる空間の断面形状が略円形をなしているとともに、隣り合うローラ６ａ間に隙間が殆ど空いていないことから、プリセットハンガ２を多数装着されたメッセンジャワイヤ１をその空間内に通す際にプリセットハンガ２のハンガ部材２ｄがローラ６ａや支持枠６ｄに引っ掛かるのを防止し得て、プリセットハンガ２を多数装着されたメッセンジャワイヤ１の架設作業を円滑にすることができる。
【００３４】
図８は、分岐ケーブルを有する既設ケーブルに沿って、プリセットハンガ２を多数装着されたメッセンジャワイヤ１を架設する際の、この発明のケーブル架設工法の他の一実施例を示す、メッセンジャワイヤ１を斜め下方から見た斜視図、また図９（ａ），（ｂ）は、その実施例のケーブル架設工法に用いられるこの発明のケーブル保護装置の一実施例を示す正面図および側面図であり、図中符号１２は既設ケーブル、１３はその既設ケーブル１２から分岐した分岐ケーブル、１４は上記実施例のケーブル保護装置をそれぞれ示す。
【００３５】
この実施例のケーブル保護装置１４は、プリセットハンガ２を多数装着されたメッセンジャワイヤ１の架設経路に沿って延在する既設ケーブル１２が有する分岐ケーブル１３に被せられる逆Ｕ字状断面形状の例えば低密度ポリエチレン板製のカバー１４ａと、そのカバー１４ａの長手方向両端部に上向きに突設されてメッセンジャワイヤ１のそのカバー１４ａ上からの外れを防止する例えばポリエチレンパイプ製の二本のメッセンジャガイド１４ｂと、カバー１４ａの長手方向一端部からその長手方向へ突設されて既設ケーブル１２に掛合される例えばアルミ板製のケーブルフック１４ｃとを具えてなり、ここで、ケーブルフック１４ｃはカバー１４ａに対し水平方向に首振り可能に取り付けられ、またカバー１４ａの内側には、分岐ケーブル１３と嵌まりあって分岐ケーブル１３をカバー１４ａの幅方向中央部に位置決めする例えばアルミ板製のケーブル位置決め板１４ｄが設けられ、さらにカバー１４ａの下端部には、地上の作業者が操作棒で吊り上げられるように例えばアルミ板製のアクセスフック１４ｅが突設され、そのアクセスフック１４ｅには、地上の作業者が操作棒で開閉操作可能な市販の落下防止フック１４ｆがチェーンで連結されている。
【００３６】
そして上記実施例のケーブル架設工法は、図８に示すように、分岐ケーブル１３を有する既設ケーブル１２に沿って、プリセットハンガ２を多数装着されたメッセンジャワイヤ１を架設するに際し、地上の作業者が操作棒で上記実施例のケーブル保護装置１４のカバー１４ａを分岐ケーブル１３に被せるとともにケーブルフック１４ｃを既設ケーブル１２に上から引っ掛け、さらに落下防止フック１４ｆを既設ケーブル１２に掛止し、そのケーブル保護装置１４の、分岐ケーブル１３に被せられたカバー１４ａ上の二本のメッセンジャガイド１４ｂ間の位置にメッセンジャワイヤ１を通して、プリセットハンガ２を多数装着されたメッセンジャワイヤ１を架設する。
【００３７】
かかる実施例のケーブル架設工法によれば、プリセットハンガ２を多数装着されたメッセンジャワイヤ１が、既設ケーブル１２から離れてケーブル保護装置１４の丸みを帯びたカバー１４ａ上の二本のメッセンジャガイド１４ｂ間を通って通線されるので、既設ケーブル１２や分岐ケーブル１３にメッセンジャワイヤ１やプリセットハンガ２が摺接してそれらのケーブル１２，１３が損傷したり、分岐ケーブル１３にプリセットハンガ２のハンガ部材２ｄが引っ掛かってプリセットハンガ２がメッセンジャワイヤ１から外れたりするのを有効に防止することができる。
【００３８】
図１０（ａ），（ｂ）は、ハンガ部材２ｄ内を通って既設ケーブル１２が延在している既設のプリセットハンガ２を用いて新規ケーブルを架設する際の、この発明のケーブル架設工法のさらに他の一実施例を示す説明図およびその一部拡大図、図１１（ａ），（ｂ）および（ｃ）は、その実施例のケーブル架設工法に用いられるこの発明の通線装置の一実施例を示す平面図、正面図および側面図であり、図中符号１５は上記実施例の通線装置、１６は通常の通線ロッドをそれぞれ示す。
【００３９】
この実施例の通線装置１５は、図１０に示す如くメッセンジャワイヤ１に所定間隔で装着されて隣り合う三つのプリセットハンガ２のハンガ部材２ｄに渡って延在する長さの例えば細板状のフレーム１５ａと、そのフレーム１５ａの前端部（図１１では右端部）と中央部と後端部との三カ所にプリセットハンガ２のハンガ部材２ｄの間隔と異なる間隔でそれぞれ図中矢印および破線で示すように前後方向揺動可能に吊り下げ支持されて既設ケーブル１２を跨ぐ略逆Ｕ字状で下端部に錘が設けられた二股バランサ１５ｂと、フレーム１５ａの後端部にその前後方向に延在する軸線周りに回転可能に支持され撚り戻しのように機能するとともに後方から螺着可能な雌ねじを設けられた通線ロッド装着部１５ｃと、フレーム１５ａの前端部および後端部の下側に固定されて既設ケーブル１２と摺接するスライド板１５ｄと、フレーム１５ａの前端部の上側に各々コイルばねを介して傾動可能に立設されて互いに平行に延在しメッセンジャワイヤ１を間に挟み込むことで当該通線装置１５をメッセンジャワイヤ１に沿って移動するよう案内する二本のトロリ棒１５ｅと、を具えてなる。
【００４０】
ハンガ部材２ｄ内を通って既設ケーブル１２が延在する既設のプリセットハンガ２を用いて新設ケーブルを架設する際、上記実施例のケーブル架設工法では、この実施例の通線装置１５の通線ロッド装着部１５ｃに、図１１に示すように通線ロッド１６の先端部を螺着するとともに、その通線ロッド１６の図示しない後端部にケーブル牽引ロープを繋いでおり、図１０に示すように、作業者が通線ロッド１６を押して通線装置１５を、既設のメッセンジャワイヤ１に装着された多数のプリセットハンガ２のハンガ部材２ｄ内に延在する既設ケーブル１２に二股バランサ１５ｂを跨がらせた状態でその既設ケーブル１２上を図１０（ａ）に矢印で示す通線方向に移動させて多数のプリセットハンガ２のハンガ部材２ｄ内に順次に通して行き、次いで通線装置１５および通線ロッド１６をそれらのプリセットハンガ２のハンガ部材２ｄ内から通線方向へ引き抜いて、その通線ロッド１６の後端部に繋がれた図示しないケーブル牽引ロープをそれらのプリセットハンガ２のハンガ部材２ｄ内に通し、次いでそのケーブル牽引ロープを引くことで、そのケーブル牽引ロープに繋がれたケーブルを上記多数の既設プリセットハンガ２のハンガ部材２ｄ内に順次に通して、新規ケーブルを架設する。
【００４１】
かかる実施例のケーブル架設工法によれば、通線装置１５の通線ロッド装着部１５ｃに通線ロッド１６の先端部を装着し、既設の多数のプリセットハンガ２のハンガ部材２ｄ内を通って延在する既設ケーブル１２に通線装置１５の二股バランサ１５ｂを跨がらせた状態で通線ロッド１６を押して、通線装置１５を、その既設ケーブル１２上を通線方向に滑らせて移動させて、多数のプリセットハンガ２のハンガ部材２ｄ内に順次に通して行くので、既設の多数のプリセットハンガ２のハンガ部材２ｄ同士が独立しているとともにそれらのハンガ部材２ｄ内に既設ケーブル１２が延在していてそれらのハンガ部材２ｄが揺動できなくてもケーブル牽引ロープをプリセットハンガ２に通線し得て、新規ケーブルを容易に増設することができ、また地上から紐で引いて通すのでないので、既設の分岐ケーブルがある場合でも支障なくプリセットハンガ２に通してゆくことができる。
【００４２】
しかも、通線装置１５の二股バランサ１５ｂの間隔は、プリセットハンガ２のハンガ部材２ｄの間隔と異なるように設定されており、これにより、何れか一つの二股バランサ１５ｂがハンガ部材２ｄと係合してフレーム１５ａの側方まで持ち上げられても、残りの二股バランサ１５ｂが必ずハンガ部材２ｄと係合せずに垂れ下がって既設ケーブル１２を跨ぎ、ヤジロベエのようにバランスをとっているので、通線装置１５のフレーム１５ａを既設ケーブル１２上から脱落させず常に既設ケーブル１２上に維持することができる。
【００４３】
さらに上記実施例の通線装置１５によれば、フレーム１５ａの前端部の上側に各々コイルバネを介して傾動可能に立設されて互いに平行に延在する二本のトロリ棒１５ｅが、メッセンジャワイヤ１を間に挟み込むことで当該通線装置１５をメッセンジャワイヤ１に沿って移動するよう案内するので、既設ケーブル１２が複数本あってうねっているため二股バランサ１５ｂが持ち上げられ易いような場合でも、多数のプリセットハンガ２のハンガ部材２ｄ内に通線装置１５を確実に通してゆくことができる。
【００４４】
以上、図示例に基づき説明したが、この発明は上述の例に限定されるものでなく、例えば、牽引ロープ挿入装置４やワイヤ弛み防止装置６のローラの数を適宜増減させても良く、通線装置１５の二股バランサ１５ｂの数も適宜増減させても良い。
【図面の簡単な説明】
【図１】この発明のケーブル架設工法の一実施例を示す説明図である。
【図２】（ａ），（ｂ），（ｃ）および（ｄ）は、上記実施例の工法に用いられるプリセットハンガの一部を示す正面図、断面図、平面図および作動説明図である。
【図３】上記実施例の工法に用いられるこの発明のワイヤ弛み防止装置の一実施例の使用状態を示す説明図である。
【図４】上記実施例の工法に用いられる金車および戻り防止装置の使用状態を示す説明図である。
【図５】（ａ），（ｂ），（ｃ）および（ｄ）は、上記実施例の工法に用いられるこの発明の牽引ロープ挿入装置の一実施例を示す平面図、Ａ−Ａ断面図、側面図および部分図である。
【図６】（ａ），（ｂ）および（ｃ）は、上記実施例の牽引ロープ挿入装置の作動を示す説明図である。
【図７】（ａ）および（ｂ）は、上記実施例のワイヤ弛み防止装置を示す正面図および側面図である。
【図８】分岐ケーブルを有する既設ケーブルに沿って、プリセットハンガを多数装着されたメッセンジャワイヤを架設する際の、この発明のケーブル架設工法の他の一実施例を示す斜視図である。
【図９】（ａ）および（ｂ）は、上記実施例のケーブル架設工法に用いられるこの発明のケーブル保護装置の一実施例を示す正面図および側面図である。
【図１０】（ａ）および（ｂ）は、ハンガ部材内を通って既設ケーブルが延在している既設のプリセットハンガを用いて新規ケーブルを架設する際の、この発明のケーブル架設工法のさらに他の一実施例を示す説明図およびその一部拡大図である。
【図１１】（ａ），（ｂ）および（ｃ）は、上記実施例のケーブル架設工法に用いられるこの発明の通線装置の一実施例を示す平面図、正面図および側面図である。
【符号の説明】
１  メッセンジャワイヤ
２  プリセットハンガ
２ａ，２ｂ  端部
２ｃ  隙間
２ｄ  ハンガ部材
２ｅ  固定金具
２ｆ  ずれ止め金具
３，５，７  電柱
４  牽引ロープ挿入装置
４ａ  フレーム
４ｂ  吊下げ金具
４ｃ  ローラ
４ｄ  アイ金具
４ｅ  ロープ差込み部
４ｆ  蓋
４ｇ  上板
４ｈ  底板
４ｉ  ピン
４ｊ  板ばね
４ｋ  後端部
４ｌ  パッド
６  ワイヤ弛み防止装置
６ａ  ローラ
６ｂ  アングル材
６ｃ  板材
６ｄ  支持枠
６ｅ  吊下げ金具
６ｆ  支持ボルト
８  金車
９  戻り防止装置
１０  ワイヤ牽引ロープ
１１  ケーブル牽引ロープ
１２  既設ケーブル
１３  分岐ケーブル
１４  ケーブル保護装置
１４ａ  カバー
１４ｂ  メッセンジャガイド
１４ｃ  ケーブルフック
１４ｄ  ケーブル位置決め板
１４ｅ  アクセスフック
１４ｆ  落下防止フック
１５  通線装置
１５ａ  フレーム
１５ｂ  二股バランサ
１５ｃ  通線ロッド装着部
１５ｄ  スライド板
１５ｅ  トロリ棒
１６  通線ロッド
【図１】
2004215373.tif 000003
【図２】
2004215373.tif 000004
【図３】
2004215373.tif 000005
【図４】
2004215373.tif 000006
【図５】
2004215373.tif 000007
【図６】
2004215373.tif 000008
【図７】
2004215373.tif 000009
【図８】
2004215373.tif 000010
【図９】
2004215373.tif 000011
【図１０】
2004215373.tif 000012
【図１１】
2004215373.tif 000013